(57)【要約】【課題】簡易な操作でＩＰ通話を行なう通信装置を得ること。【解決手段】無線基地局を含む無線通信システム２０Ａおよびインターネット網３０を介して相手先電話機６０とＩＰ通話を行なうＩＰ携帯電話端末１０において、無線基地局に、相手先電話機６０の電話番号を無線送信して、相手先電話機６０とのＩＰ通話を要求する通話要求手段と、ＩＰ通話が要求された無線基地局の無線通信システム２０Ａがインターネット網３０を介して相手先電話機６０に呼出し処理を行い、かつ相手先電話機６０がインターネット網３０および無線通信システム２０Ａを介して呼出し処理に対応する応答を行なった場合に、無線通信システム２０およびインターネット網６０を介して相手先電話機６０との間でＩＰ通話を行なう通話手段と、を備える。【選択図】図１
2007194898.tif 000002
【特許請求の範囲】
【請求項１】
無線基地局を含む無線通信システムおよびインターネット網を介して所定の相手先電話機とＩＰ通話を行なう通信装置において、
前記無線基地局に、前記相手先電話機の電話番号を無線送信して、前記相手先電話機とのＩＰ通話を要求する通話要求手段と、
前記ＩＰ通話が要求された無線基地局の無線通信システムがインターネット網を介して前記相手先電話機に呼出し処理を行い、かつ前記相手先電話機が前記インターネット網および前記無線通信システムを介して前記呼出し処理に対応する応答を行なった場合に、前記無線通信システムおよび前記インターネット網を介して前記相手先電話機との間でＩＰ通話を行なう通話手段と、
を備えたことを特徴とする通信装置。
【請求項２】
前記無線通信システムは、１〜複数からなり、
前記各無線通信システムの何れかを外部入力情報によって指定するための指定情報入力手段をさらに備え、
前記通話要求手段は、前記指定情報入力手段で指定された無線通信システムに前記相手先電話機とのＩＰ通話を要求することを特徴とする請求項１に記載の通信装置。
【請求項３】
前記指定情報入力手段は、前記各無線通信システムに対応する１〜複数の指定ボタンであり、前記指定ボタンが押下されることによって所定の無線通信システムが指定されることを特徴とする請求項２に記載の通信装置。
【請求項４】
前記指定情報入力手段は、前記各無線通信システムに対応する識別番号を入力するダイヤルボタンであり、前記ダイヤルボタンから所定の識別番号が入力されることによって所定の無線通信システムが指定されることを特徴とする請求項２に記載の通信装置。
【請求項５】
前記通話要求手段は、前記無線基地局に、前記相手先電話機の電話番号をパケット化して無線送信することを特徴とする請求項１〜４のいずれか１つに記載の通信装置。
【請求項６】
前記通話要求手段は、前記無線基地局に、前記相手先電話機の電話番号とともに前記ＩＰ通話の要求元となるユーザの識別情報をパケット化して無線送信し、
前記無線通信システムは、前記識別情報に基づいて前記ユーザの認証を行なうことを特徴とする請求項５に記載の通信装置。
【請求項７】
無線基地局を含む無線通信システムおよびインターネット網を介して所定の相手先電話機とＩＰ通話を行なう通信装置の通信方法において、
前記通信装置から前記無線基地局に、前記相手先電話機の電話番号を無線送信して、前記相手先電話機とのＩＰ通話を要求する通話要求ステップと、
前記ＩＰ通話が要求された無線基地局の無線通信システムがインターネット網を介して前記相手先電話機に呼出し処理を行い、かつ前記相手先電話機が前記インターネット網および前記無線通信システムを介して前記呼出し処理に対応する応答を行なった場合に、前記無線通信システムおよび前記インターネット網を介して前記相手先電話機との間でＩＰ通話を行なう通話ステップと、
を含むことを特徴とする通信方法。
【請求項８】
前記無線通信システムは、１〜複数からなり、
前記通話要求ステップは、前記各無線通信システムの何れかを指定するための指定情報入力手段から外部入力された指定情報に基づいて、前記各無線通信システムの何れかに前記相手先電話機とのＩＰ通話を要求することを特徴とする請求項７に記載の通信方法。
【請求項９】
前記指定情報入力手段は、前記各無線通信システムに対応する１〜複数の指定ボタンであり、
前記通話要求ステップは、前記指定ボタンから外部入力された指定情報に基づいて、前記各無線通信システムの何れかに前記相手先電話機とのＩＰ通話を要求することを特徴とする請求項８に記載の通信方法。
【請求項１０】
前記指定情報入力手段は、前記各無線通信システムに対応する識別番号を外部入力するダイヤルボタンであり、
前記通話要求ステップは、前記ダイヤルボタンから外部入力された指定情報に基づいて、前記各無線通信システムの何れかに前記相手先電話機とのＩＰ通話を要求することを特徴とする請求項８に記載の通信方法。
【請求項１１】
前記通話要求ステップは、前記無線基地局に、前記相手先電話機の電話番号をパケット化して無線送信することを特徴とする請求項７〜１０のいずれか１つに記載の通信方法。
【請求項１２】
前記通話要求ステップは、前記無線基地局に、前記相手先電話機の電話番号とともに前記ＩＰ通話の要求元となるユーザの識別情報をパケット化して無線送信し、
前記無線通信システムによって前記識別情報に基づいた前記ユーザの認証が行なわれることを特徴とする請求項１１に記載の通信方法。
【請求項１３】
無線基地局を含む無線通信システムおよびインターネット網を介して所定の相手先電話機とＩＰ通話を行なう通信装置を有した通信システムにおいて、
前記通信装置は、前記無線基地局に前記相手先電話機の電話番号を無線送信して、前記相手先電話機とのＩＰ通話を要求し、
前記ＩＰ通話が要求された無線基地局の無線通信システムがインターネット網を介して前記相手先電話機に呼出し処理を行い、かつ前記相手先電話機が前記インターネット網および前記無線通信システムを介して前記呼出し処理に対応する応答を行なった場合に、前記無線通信システムおよび前記インターネット網を介して前記相手先電話機と前記通信装置との間でＩＰ通話を行なうことを特徴とする通信システム。
【請求項１４】
前記インターネット網と接続する所定のプロバイダ装置および、当該プロバイダ装置と前記相手先電話機とを接続する固定電話網をさらに備え、
前記無線通信システムは、前記インターネット網を介して所定のプロバイダ装置に前記相手先電話機の電話番号を送信するとともに、前記所定のプロバイダ装置が前記固定電話網を介して前記相手先電話機に呼出し処理を行い、前記相手先電話機から前記固定電話網、前記プロバイダ装置、前記インターネット網および前記無線通信システムを介して前記呼出し処理に対応する応答があった場合に、前記無線通信システム、前記インターネット網、前記プロバイダ装置および前記固定電話網を介して前記相手先電話機と前記通信装置との間でＩＰ通話を行なうことを特徴とする請求項１３に記載の通信システム。
【発明の詳細な説明】
【技術分野】
【０００１】
本発明は、ＩＰ（インターネットプロトコル）技術を用いて通話を行う通信装置、通信方法及び通信システムに関するものである。
【背景技術】
【０００２】
近年、急速に普及してきた携帯電話は無線通信技術を利用しているので、ユーザは移動しながら通話を行うことができる。このような携帯電話において、実際に無線電波が使われているのは、携帯電話と携帯電話通信会社の基地局との間だけであり、携帯電話同士で通話をするときにも、通信回線の途中には通常の固定電話と同じように一般の電話回線が使われている。
【０００３】
これに対し、最近では、電話回線の一部または全部の代わりにインターネットを経由して通信を行うＩＰ携帯電話（ＩＰ電話機）の研究開発も進められている。このようなＩＰ携帯電話で通話を行うには、ユーザはまず、携帯電話端末からインターネットに接続し、インターネット電話システムを運用する会社（プロバイダ）のホームページにアクセスする。そして、表示された入力ホームへ、ユーザ自身の個人ＩＤ番号ならびに相手先の電話番号を入力してそのデータをプロバイダへ送信する。この後、ユーザのＩＰ携帯電話とプロバイダ間の通信は一旦切断され、プロバイダはユーザの認証を行う。認証が無事に行われると、プロバイダはユーザのＩＰ携帯電話の発呼を行うとともに、相手先に接続する（特許文献１参照）。
【特許文献１】特開２００２−２９１０４６号公報
【発明の開示】
【発明が解決しようとする課題】
【０００４】
しかしながら、上記従来のＩＰ携帯電話では、ユーザがＩＰ携帯電話からインターネット網に接続してプロバイダのホームページにアクセスし、更に個人ＩＤ番号と相手先電話番号を入力なければならないため、手間がかかるといった問題があった。
【０００５】
また、個人ＩＤ番号ならびに相手先の電話番号を送信した後、一旦通信が切断され、ユーザはプロバイダからの発呼を待たなければならない。このため、プロバイダからの発呼を待っている間に、他から電話が入ってきてしまい、折角かけた電話が中断される可能性もあるといった問題があった。このように、従来のＩＰ携帯電話では、通常の固定電話と同様の簡易な操作で電話をかけることができず、ユーザにとって使い勝手が非常に悪いといった問題があった。
【０００６】
本発明は、上記のような課題を解決するものであり、簡易な操作でＩＰ通話を行なう通信装置、通信方法及び通信システムを提供することを目的とする。
【課題を解決するための手段】
【０００７】
上記課題を解決するために本発明は、無線基地局を含む無線通信システムおよびインターネット網を介して所定の相手先電話機とＩＰ通話を行なう通信装置において、前記無線基地局に、前記相手先電話機の電話番号を無線送信して、前記相手先電話機とのＩＰ通話を要求する通話要求手段と、前記ＩＰ通話が要求された無線基地局の無線通信システムがインターネット網を介して前記相手先電話機に呼出し処理を行い、かつ前記相手先電話機が前記インターネット網および前記無線通信システムを介して前記呼出し処理に対応する応答を行なった場合に、前記無線通信システムおよび前記インターネット網を介して前記相手先電話機との間でＩＰ通話を行なう通話手段と、を備えたものである。
【発明の効果】
【０００８】
本発明によれば、無線基地局に相手先電話機とのＩＰ通話を要求して相手先電話機との間でＩＰ通話を行なうので、簡易な操作で容易にＩＰ通話を行なうことができる通信装置を得ることができる。
【発明を実施するための最良の形態】
【０００９】
本発明の第１の発明の通信装置は、無線基地局を含む無線通信システムおよびインターネット網を介して所定の相手先電話機とＩＰ通話を行なう通信装置において、無線基地局に、相手先電話機の電話番号を無線送信して、相手先電話機とのＩＰ通話を要求する通話要求手段と、ＩＰ通話が要求された無線基地局の無線通信システムがインターネット網を介して相手先電話機に呼出し処理を行い、かつ相手先電話機がインターネット網および無線通信システムを介して呼出し処理に対応する応答を行なった場合に、無線通信システムおよびインターネット網を介して相手先電話機との間でＩＰ通話を行なう通話手段と、を備えたものであり、無線基地局に相手先電話機とのＩＰ通話を要求して相手先電話機との間でＩＰ通話を行なうので、相手先電話機との間の接続が容易に行なえるという作用を有する。
【００１０】
第２の発明の通信装置は、無線通信システムは、１〜複数からなり、各無線通信システムの何れかを外部入力情報によって指定するための指定情報入力手段をさらに備え、通話要求手段は、指定情報入力手段で指定された無線通信システムに相手先電話機とのＩＰ通話を要求するものであり、無線通信システムの指定を容易に行なえるという作用を有する。
【００１１】
第３の発明の通信装置は、指定情報入力手段は、各無線通信システムに対応する１〜複数の指定ボタンであり、指定ボタンが押下されることによって所定の無線通信システムが指定されるものであり、無線通信システムの指定を指定ボタンによって容易に行なえるという作用を有する。
【００１２】
第４の発明の通信装置は、指定情報入力手段は、各無線通信システムに対応する識別番号を入力するダイヤルボタンであり、ダイヤルボタンから所定の識別番号が入力されることによって所定の無線通信システムが指定されるものであり、無線通信システムの指定をダイヤルボタンによって容易に行なえるという作用を有する。
【００１３】
第５の発明の通信装置は、通話要求手段は、無線基地局に、相手先電話機の電話番号をパケット化して無線送信するものであり、無線通信システムによる相手先電話機への接続処理を容易行なわせることができるという作用を有する。
【００１４】
第６の発明の通信装置は、通話要求手段は、無線基地局に、相手先電話機の電話番号とともにＩＰ通話の要求元となるユーザの識別情報をパケット化して無線送信し、無線通信システムは、識別情報に基づいてユーザの認証を行なうものであり、無線通信システムによるユーザの認証を容易に行なわせることができるという作用を有する。
【００１５】
第７の発明の通信方法は、無線基地局を含む無線通信システムおよびインターネット網を介して所定の相手先電話機とＩＰ通話を行なう通信装置の通信方法において、通信装置から無線基地局に、相手先電話機の電話番号を無線送信して、相手先電話機とのＩＰ通話を要求する通話要求ステップと、ＩＰ通話が要求された無線基地局の無線通信システムがインターネット網を介して相手先電話機に呼出し処理を行い、かつ相手先電話機がインターネット網および無線通信システムを介して呼出し処理に対応する応答を行なった場合に、無線通信システムおよびインターネット網を介して相手先電話機との間でＩＰ通話を行なう通話ステップと、を含むものであり、無線基地局に相手先電話機とのＩＰ通話を要求して相手先電話機との間でＩＰ通話を行なうので、相手先電話機との間の接続が容易に行なえるという作用を有する。
【００１６】
第８の発明の通信方法は、無線通信システムは、１〜複数からなり、通話要求ステップは、各無線通信システムの何れかを指定するための指定情報入力手段から外部入力された指定情報に基づいて、各無線通信システムの何れかに相手先電話機とのＩＰ通話を要求するものであり、無線通信システムの指定を容易に行なえるという作用を有する。
【００１７】
第９の発明の通信方法は、指定情報入力手段は、各無線通信システムに対応する１〜複数の指定ボタンであり、通話要求ステップは、指定ボタンから外部入力された指定情報に基づいて、各無線通信システムの何れかに相手先電話機とのＩＰ通話を要求するものであり、無線通信システムの指定を指定ボタンによって容易に行なえるという作用を有する。
【００１８】
第１０の発明の通信方法は、指定情報入力手段は、各無線通信システムに対応する識別番号を外部入力するダイヤルボタンであり、通話要求ステップは、ダイヤルボタンから外部入力された指定情報に基づいて、各無線通信システムの何れかに相手先電話機とのＩＰ通話を要求するものであり、無線通信システムの指定をダイヤルボタンによって容易に行なえるという作用を有する。
【００１９】
第１１の発明の通信方法は、通話要求ステップは、無線基地局に、相手先電話機の電話番号をパケット化して無線送信するものであり、無線通信システムによる相手先電話機への接続処理を容易行なわせることができるという作用を有する。
【００２０】
第１２の発明の通信方法は、通話要求ステップは、無線基地局に、相手先電話機の電話番号とともにＩＰ通話の要求元となるユーザの識別情報をパケット化して無線送信し、無線通信システムによって識別情報に基づいたユーザの認証が行なわれるものであり、無線通信システムによるユーザの認証を容易に行なわせることができるという作用を有する。
【００２１】
第１３の発明の通信システムは、無線基地局を含む無線通信システムおよびインターネット網を介して所定の相手先電話機とＩＰ通話を行なう通信装置を有した通信システムにおいて、通信装置は、無線基地局に相手先電話機の電話番号を無線送信して、相手先電話機とのＩＰ通話を要求し、ＩＰ通話が要求された無線基地局の無線通信システムがインターネット網を介して相手先電話機に呼出し処理を行い、かつ相手先電話機がインターネット網および無線通信システムを介して呼出し処理に対応する応答を行なった場合に、無線通信システムおよびインターネット網を介して相手先電話機と通信装置との間でＩＰ通話を行なうものであり、通信装置が無線基地局に相手先電話機とのＩＰ通話を要求して通信装置と相手先電話機との間でＩＰ通話を行なうので、通信装置と相手先電話機との間の接続を容易に行なえるという作用を有する。
【００２２】
第１４の発明の通信システムは、インターネット網と接続する所定のプロバイダ装置および、当該プロバイダ装置と相手先電話機とを接続する固定電話網をさらに備え、無線通信システムは、インターネット網を介して所定のプロバイダ装置に相手先電話機の電話番号を送信するとともに、所定のプロバイダ装置が固定電話網を介して相手先電話機に呼出し処理を行い、相手先電話機から固定電話網、プロバイダ装置、インターネット網および無線通信システムを介して呼出し処理に対応する応答があった場合に、無線通信システム、インターネット網、プロバイダ装置および固定電話網を介して相手先電話機と通信装置との間でＩＰ通話を行なうものであり、通信装置が無線基地局に相手先電話機とのＩＰ通話を要求し、無線通信システムがインターネット網を介して所定のプロバイダ装置に相手先電話機の電話番号を送信するとともに、所定のプロバイダ装置が固定電話網を介して相手先電話機に呼出し処理を行うので、通信装置と相手先電話機との間の固定電話網を介した接続を容易に行なえるという作用を有する。
【００２３】
以下、本発明の実施の形態について説明する。
実施の形態１．
まず、図面を参照しながら、本発明の実施の形態１について説明する。図１は、本発明の実施の形態１に係るＩＰ携帯電話端末を備えた通信システムの全体構成図である。ここではＩＰ携帯電話端末１０から一般の固定電話機である相手先電話機６０へ電話をかける場合について説明する。
【００２４】
図１において、１００は通信システム、１０はＩＰ携帯電話端末、２０Ａは第１の携帯電話通信会社が有する携帯電話システム、２０Ｂは第２の携帯電話通信会社が有する携帯電話システム、３０はインターネット網、４０は通話相手先の最寄りのプロバイダが有する相手先側プロバイダ装置、５０は固定電話網、６０は相手先電話機、７０は相手先側プロバイダ装置４０以外のプロバイダ装置である他プロバイダ装置である。
【００２５】
なお、ここでは携帯電話システム２０Ａ（第１の携帯電話会社）をＰ１、携帯電話システム２０Ｂ（第２の携帯電話会社）をＰ２で示している。また、相手先側プロバイダ装置４０をＰ３、他プロバイダ装置７０をＰ４で示している。
【００２６】
ＩＰ携帯電話端末１０は、ＩＰを用いて通話（無線通信）を行なう携帯電話端末装置である。ＩＰ携帯電話端末１０は、２つの携帯電話通信会社（第１の携帯電話通信会社、第２の携帯電話通信会社）が有する携帯電話システム２０Ａまたは携帯電話システム２０Ｂとの間で無線通信を行う。ここでのＩＰ携帯電話端末１０は、携帯電話システム２０Ａ，２０Ｂ、インターネット網３０、相手先側プロバイダ装置４０、固定電話網５０を介して、相手先電話機６０とＩＰを利用した通話（ＩＰ電話）（ＩＰ通話モード）を行う。
【００２７】
携帯電話システム２０Ａ，２０Ｂは、インターネット網３０、固定電話網５０と接続された通信ネットワークシステムであり、ＩＰ携帯電話端末１０などの携帯電話端末と無線通信を行う。携帯電話システム２０Ａ，２０Ｂは、インターネット網３０、相手先側プロバイダ装置４０を介して固定電話網５０と接続されるとともに、インターネット網３０を介さずに直接固定電話網５０と接続されている。これにより、ＩＰ携帯電話端末１０は、相手先電話機６０との間で、ＩＰ電話（ＩＰ通話モード）を行なえるとともに、ＩＰを利用しない通常の通話（通常通話モード）を行える。
【００２８】
インターネット網３０は、携帯電話システム２０Ａ，２０Ｂ、相手先側プロバイダ装置４０、他プロバイダ装置７０を接続する通信ネットワーク網である。相手先側プロバイダ装置４０は、通話相手先である相手先電話機６０の最寄りのプロバイダが有するプロバイダ装置であり、インターネット網３０、固定電話網５０と接続されている。
【００２９】
固定電話網５０は、相手先電話機６０、携帯電話システム２０Ａ，２０Ｂと接続する固定電話用の電話網である。相手先電話機６０は、ＩＰ携帯電話端末１０の通話相手となる固定電話である。
【００３０】
次に、本発明のＩＰ携帯電話端末の外観構成について説明する。図２−１は、本発明の実施の形態１に係るＩＰ携帯電話端末の外観構成の一例（１）を示す図である。図２−１に示すように、ＩＰ携帯電話端末１０は、アンテナ１５、スピーカ１６、液晶ディスプレイ１１、複数の専用ボタンＸ１〜Ｘｎ（ｎは自然数）、通話ボタン１３、終了ボタン１７、ダイヤルボタンＢ１〜Ｂ１０を備えている。
【００３１】
アンテナ１５は、携帯電話システム２０Ａ，２０Ｂ内の基地局装置と無線通信を行う際に、電波を送受信する。スピーカ１６は、相手先電話機６０と通話（ＩＰ通話モード、通常通話モード）する際に、相手先電話機６０から送信される音声、コール音などの音を出力する出力手段である。液晶ディスプレイ１１は、相手先電話機６０の電話番号や、相手先電話機６０の持ち主名、ＩＰ携帯電話端末１０の通話状況、ダイヤルボタンＢ１〜Ｂ１０等から入力された情報などを表示する表示手段である。
【００３２】
終了ボタン１７は、相手先電話機６０との通話を終了するためのボタンである。ダイヤルボタンＢ１〜Ｂ１０は、相手先電話機６０の電話番号をダイヤルするためのボタンであり、それぞれのダイヤルボタンＢ１〜Ｂ１０がユーザによって押下されると、各ダイヤルボタンＢ１〜Ｂ１０に対応した電話番号の数字が入力される。例えば、ダイヤルボタンＢ１が押下されると、数字の「１」が入力される。
【００３３】
通話ボタン１３は、相手先電話機６０との通話を開始するためのボタンである。ダイヤルボタンＢ１〜Ｂ１０によって相手先電話機６０の電話番号が入力された後、この通話ボタン１３が押下されると、相手先電話機６０との通話が通信システム１００（携帯電話システム２０Ａ，２０Ｂなど）に要求される。
【００３４】
専用ボタンＸ１〜Ｘｎは、ＩＰ通話モードを行なうためのボタンである。ユーザが、ダイヤルボタンＢ１〜Ｂ１０で相手先電話機６０の電話番号をダイヤルする前に、複数の専用ボタンＸ１〜Ｘｎのうちの何れか１つを押すことによって、携帯電話通信会社（携帯電話システム２０Ａ，２０Ｂの何れか）を選択することができる。
【００３５】
例えば、専用ボタン（専１）Ｘ１が押下されると第１の携帯電話通信会社が選択されて携帯電話システム２０Ａ（基地局装置）にＩＰ通話モードでの通話が要求される。また、専用ボタン（専２）Ｘ２が押下されると第２の携帯電話通信会社が選択されて携帯電話システム２０Ｂ（基地局装置）にＩＰ通話モードでの通話が要求される。また、専用ボタン（専ｎ）Ｘｎが押下されると第１の携帯電話通信会社、第２の携帯電話通信会社以外の携帯電話通信会社（図示せず）が選択されて所定の携帯電話システム（基地局装置）にＩＰ通話モードでの通話が要求される。また、ユーザが何れの専用ボタンＸ１〜Ｘｎも押下しなければ、通常通話モードでの通話が要求される。
【００３６】
ここで、ＩＰ携帯電話端末１０の他の外観構成の一例について説明する。図２−２は、本発明の実施の形態１に係るＩＰ携帯電話端末の外観構成の一例（２）を示す図である。なお、図２−２の各構成要素のうち図２−１に示すＩＰ携帯電話端末１０の外観構成と同一機能を達成する構成要素については同一番号を付しており、重複する説明は省略する。
【００３７】
図２−２に示すＩＰ携帯電話端末１０の外観構成例では、ＩＰ携帯電話端末１０が、専用ボタン（専１、専２、専ｎ）Ｘ１〜Ｘｎを備えていない。このＩＰ携帯電話端末１０を用いてＩＰ通話モードでの通話を要求する場合、ユーザが携帯電話通信会社の携帯電話システム２０Ａ，２０Ｂの何れかに対応する固有の専用番号を相手先電話機６０の電話番号をダイヤルする前に入力する。この携帯電話システム２０Ａ，２０Ｂの何れかに対応する固有の専用番号は、ユーザがダイヤルボタンＢ１〜Ｂ１０から入力する。
【００３８】
例えば、番号「１２３」をダイヤルすると第１の携帯電話通信会社が選択されてＩＰ通話モードでの通話が要求され、番号「４５６」をダイヤルすると第２の携帯電話通信会社が選択されてＩＰ通話モードでの通話が要求される。また、ユーザが何れの番号もダイヤルしなければ、通常通話モードでの通話が要求される。
【００３９】
次に、本発明の実施の形態１に係るＩＰ携帯電話端末１０の内部構成について説明する。図３は、本発明の実施の形態１に係るＩＰ携帯電話端末の内部構成を示すブロック図である。ＩＰ携帯電話端末１０は、無線部２１、信号処理部２２、メモリ２３、ユーザインターフェース２４、ＤＳＰ／ＭＰＵ（Digital Signal Processor／Micro Processing Unit）２５、バッテリ２６、ＩＰ通話処理部１を備えている。
【００４０】
無線部２１は、携帯電話通信会社の携帯電話システム２０Ａ，２０Ｂとの間で無線通信を行なうため、携帯電話システム２０Ａ，２０Ｂが備える基地局装置との間で電波信号の送受信を行う。
【００４１】
信号処理部２２は、無線部２１が受信した電波信号を音声信号に変換するとともに、携帯電話システム２０Ａ，２０Ｂ（基地局装置）へ送信する音声信号等を電波信号に変換する。
【００４２】
メモリ２３は、ＯＳ（Operating System）３４、通信プロトコル情報３３、プログラム３２、データ３１などを格納する。ＯＳ３４はＩＰ携帯電話端末１０が正常に動作する環境を提供するソフトウェアであり、通信プロトコル情報３３はメールやウェブなどのやり取りをサポートするための通信プロトコルに関する情報である。プログラム３２は、メーラーやブラウザなどを提供するプログラムである。データ３１は、前述のＩＰ通信用の専用ボタンＸ１〜Ｘｎや、携帯電話通信会社の携帯電話システム２０Ａ，２０Ｂの専用番号に対応する設定情報等の情報を含んで構成されている。また、メモリ２３はこれらの記憶用エリアの他にメール、通話等の処理を行なう際の動作用のエリア（図示せず）を有している。
【００４３】
ユーザインターフェース２４は、液晶ディスプレイ４１、マイク４２、スピーカ４３、入力ボタン４４等を含んで構成されている。ここでの液晶ディスプレイ４１は、図２−１や図２−２に示した液晶ディスプレイ１１に対応し、スピーカ４３は図２−１や図２−２に示したスピーカ１６に対応している。また、入力ボタン４４は、図２−１などに示した専用ボタンＸ１〜Ｘｎ、ダイヤルボタンＢ１〜Ｂ１０、通話ボタン１３などに対応している。
【００４４】
ＤＳＰ／ＭＰＵ２５は、ＩＰ携帯電話端末１０内の全体（無線部２１、信号処理部２２、メモリ２３、ユーザインターフェース２４、ＩＰ通話処理部１）を制御し、バッテリ（電源）２６はＤＳＰ／ＭＰＵ２５を介してＩＰ携帯電話端末１０の全体に電力を供給する。ＩＰ通話処理部１は、加入者認証情報（例えば自身の携帯電話番号）と相手先電話番号とを含むパケットを作成する。
【００４５】
次に、本発明の実施の形態１に係る携帯電話システム２０Ａ，２０Ｂの内部構成について説明する。なお、携帯電話システム２０Ａ，２０Ｂは同様の構成を有するので、ここでは携帯電話システム２０Ａを例にとって説明する。
【００４６】
図４は、本発明の実施の形態１に係る携帯電話システムの内部構成を示す図である。携帯電話システム２０Ａは、複数の基地局５１を有しており、各基地局５１にはアンテナが収容されている。
【００４７】
各基地局５１のカバーするエリアは決まっており、ＩＰ携帯電話端末１０が所定の基地局５１のエリア内にあるときには、その基地局５１のアンテナとＩＰ携帯電話端末１０が無線通信を行う。ＩＰ携帯電話端末１０が所定のエリア（所定の基地局５１がカバーするエリア）から別のエリア（別の基地局５１がカバーするエリア）に移動すると、ＩＰ携帯電話端末１０と無線通信を行う基地局５１が自動的に切り替わるよう通信システム１００は構成されている。
【００４８】
携帯電話システム２０Ａは、複数の基地局５１とともに、ＧＷ（Gateway）５３、サーバ（種々のサーバ）５４、回線５６、携帯電話システム２０Ａを制御する制御局５２を備えている。
【００４９】
各基地局５１は、制御局５２に接続されており、基地局５１が受信したＩＰ携帯電話端末１０からの信号は制御局５２に送られる。制御局５２は、位置情報管理ＤＢ５５に接続されており、位置情報管理ＤＢ５５にはＩＰ携帯電話端末１０が属するエリアに関する情報が記憶されている。
【００５０】
また、制御局５２はＧＷ５３とサーバ５４に接続されるとともに、回線５６を介して固定電話網５０へ接続される。これによって、制御局５２は、ＩＰ携帯電話端末１０から受信した信号を、ＧＷ５３を介してインターネット網３０へ転送することができるとともに、回線５６を介して固定電話網５０へ転送することができる。
【００５１】
次に、本発明の実施の形態１に係るＩＰ携帯電話端末１０を含む通信システム１００の動作手順を説明する。図５は、実施の形態１に係るＩＰ携帯電話端末１０を含んだ通信システムの動作手順を示すフローチャートである。
【００５２】
まず、ＩＰ携帯電話端末１０のユーザが通話モード、携帯電話会社（携帯電話システム２０Ａ，２０Ｂ）を指定する。ユーザは、例えば専用ボタンＸ１〜Ｘｎを押下することによって通話モード、携帯電話会社を指定する。ここでの通話モードの指定に関する情報は、ユーザインターフェース２４からＤＳＰ／ＭＰＵ２５に入力される。
【００５３】
そして、ＤＳＰ／ＭＰＵ２５は、何れかの専用ボタンＸ１〜Ｘｎが押下されたか否かに基づいて、通話モードの選択を行なう。具体的には、ユーザが複数の専用ボタンＸ１〜Ｘｎの何れかを押下するか又はダイヤルボタンＢ１〜Ｂ１０で専用番号をダイヤルすると、ＤＳＰ／ＭＰＵ２５によってＩＰ通話モードが選択され、そうでなければ通常通話モードが選択される。
【００５４】
また、ＤＳＰ／ＭＰＵ２５は、専用ボタンＸ１〜Ｘｎが押下された場合には、何れの専用ボタンＸ１〜Ｘｎが押下されたかに基づいて、ＩＰ通話を行なう携帯電話会社を設定する。例えば、専用ボタンＸ１が押下された場合には、ＤＳＰ／ＭＰＵ２５は第１の携帯電話会社の携帯電話システム２０Ａを用いてＩＰ通話を行なうよう通話設定する。次に、ユーザはダイヤルボタンＢ１〜Ｂ１０で相手先電話機６０の電話番号をダイヤルし、通話ボタン１３を押す（ステップＳ１０１）。
【００５５】
このとき、ＩＰ携帯電話端末１０のＤＳＰ／ＭＰＵ２５は、ユーザによってＩＰ通話モードが指定されたか通常通話モードが指定されたかを判断する（ステップＳ１０２）。通常通話モードが指定されてＤＳＰ／ＭＰＵ２５が通常通話モードを選択した場合（ステップＳ１０２、Ｎｏ）、ＤＳＰ／ＭＰＵ２５はインターネット網３０を介さず通常の通話を行うよう制御する（ステップＳ１０３）。ＩＰ携帯電話端末１０が通常通話を行なう場合、携帯電話システム２０Ａ，２０Ｂの何れか一方と固定電話網５０を介して相手先電話機６０と通話（通信）を行なう。
【００５６】
一方、ＩＰ通話モードが指定されてＤＳＰ／ＭＰＵ２５がＩＰ通話モードを選択した場合（ステップＳ１０２、Ｙｅｓ）、ＤＳＰ／ＭＰＵ２５は、ＩＰ通話処理部１に加入者認証情報（例えば自身の携帯電話番号）と相手先電話番号とを含むパケットを作成させる。
【００５７】
ＤＳＰ／ＭＰＵ２５は、ＩＰ通話処理部１が作成したパケットを、ユーザが指定した携帯電話通信会社の携帯電話システム（Ｐ１又はＰ２）（携帯電話システム２０Ａ，２０Ｂの何れか一方）へ送信しＩＰ通話モードでの通話を要求する（ステップＳ１０４）。
【００５８】
ＩＰ携帯電話端末１０から送信されたパケットは、携帯電話システムの基地局５１が受信し、制御局５２に送られる。ここでは、ユーザによって携帯電話システム２０Ａが指定され、携帯電話システム２０Ａを介してＩＰ通話を行う場合について説明する。
【００５９】
ＩＰ携帯電話端末１０から、パケットを受信した制御局５２は、パケット内の加入者認証情報に基づいて、加入者認証（ユーザの認証）を行うとともに相手先電話番号の確認を行う（ステップＳ１０５）。携帯電話システム２０Ａの制御局５２は、ユーザの認証と電話番号の確認を正しく行なえたか否かを判断する（ステップＳ１０６）。制御局５２は、ユーザの認証または電話番号の確認を出来なかった場合（ステップＳ１０６、Ｎｏ）、その結果を認証結果情報として基地局５１からＩＰ携帯電話端末１０へ通知する（ステップＳ１０７）。
【００６０】
ＩＰ携帯電話端末１０のＤＳＰ／ＭＰＵ２５は、携帯電話システム２０Ａから送信された認証結果情報が、ユーザ認証できなかったことを示す情報であるか、電話番号を確認できなかったことを示す情報であるかの何れであるかを判断する（ステップＳ１０８）。
【００６１】
認証結果情報がユーザ認証はできたが電話番号の確認が出来なかったことを示す場合は（ステップＳ１０８、Ｙｅｓ）、電話の掛け直しをユーザへ指示し（ステップＳ１０９）、ステップＳ１０１へ戻る。電話の掛け直しの指示としては、例えば液晶ディスプレイ１１に電話番号が確認できなかったことを示すメッセージを表示する。一方、認証結果情報がユーザ認証の出来なかったことを示す場合は（ステップＳ１０８、Ｎｏ）、ＤＳＰ／ＭＰＵ２５はＩＰ通話処理を終了させる。
【００６２】
ステップＳ１０６の処理で、制御局５２がユーザの認証及び電話番号の確認を出来た場合（ステップＳ１０６、Ｙｅｓ）、携帯電話システム２０Ａ（ＧＷ５３）は、インターネット網３０を介して相手先側プロバイダ装置４０へＩＰ接続を行い、相手先電話番号を通知して相手先電話機６０との通話を要求する（ステップＳ１１０）。
【００６３】
相手先側プロバイダ装置４０は、固定電話網５０を介して相手先電話機６０を呼出す（ステップＳ１１１）。相手先側プロバイダ装置４０から呼出された相手先電話機６０は、着信音を出力させ（ステップＳ１１２）、同時に相手先側プロバイダ装置４０へ呼出し音を出力（送信）する（ステップＳ１１３）。相手先側プロバイダ装置４０は、相手先電話機６０が呼出し音を流していることをＩＰパケットを用いて携帯電話システム２０Ａへ通知する（ステップＳ１１４）。
【００６４】
携帯電話システム２０Ａの制御局５２は、相手先側プロバイダ装置４０から受信したＩＰパケットを無線専用のパケットに変換し、このパケットを基地局５１からＩＰ携帯電話端末１０へ電波を通じて送信する（ステップＳ１１５）。
【００６５】
ＩＰ携帯電話端末１０（ＤＳＰ／ＭＰＵ２５）は、携帯電話システム２０Ａから送信された無線専用のパケットを受信し内容を確認した後、呼出し音を鳴らす（ステップＳ１１６）。ここでのＤＳＰ／ＭＰＵ２５は、例えばスピーカ１６から呼出し音を出力させる。
【００６６】
相手先電話機６０において、応答処理（受話器を本体から外す等の処理）が行なわれると、相手先電話機６０に入力された相手先の音声等（応答音声）を相手先電話機６０から相手先側プロバイダ装置４０へ送信する（ステップＳ１１７）。
【００６７】
相手先側プロバイダ装置４０は、相手先電話機６０からの応答音声を、ＩＰパケットを用い、応答音声信号として携帯電話システム２０Ａに転送する（ステップＳ１１８）。携帯電話システム２０Ａは、相手先側プロバイダ装置４０から受信したＩＰパケットを無線専用のパケットに変換し、このパケットを電波を通じてＩＰ携帯電話端末１０へ送信する（ステップＳ１１９）。
【００６８】
ＩＰ携帯電話端末１０の無線部２１は、携帯電話システム２０Ａからのパケットを受信する。信号処理部２２は、無線部２１が受信した無線専用のパケットを音声信号に復元する。この音声信号は、スピーカ１６から出力される。この時点で、ＩＰ携帯電話端末１０と相手先電話機６０の間のＩＰ通話が開始される（ステップＳ１２０）。
【００６９】
ＩＰ携帯電話端末１０と相手先電話機６０との間でＩＰ通話を行なう間、ＩＰ携帯電話端末１０の信号処理部２２は、相手先電話機６０から受信した電波信号を音声信号に変換するとともに、相手先電話機６０へ送信する音声信号等を電波信号に変換する。また、ＤＳＰ／ＭＰＵ２５は、メモリ２３内の情報（ＯＳ３４、通信プロトコル情報３３、プログラム３２、データ３１など）を用いて、相手先電話機６０とのＩＰ通話を制御する。
【００７０】
ＩＰ携帯電話端末１０と相手先電話機６０がＩＰ通話を行なう間、携帯電話システム２０Ａは、ＩＰ携帯電話端末１０からの音声信号をパケット化してインターネット網３０（相手先側プロバイダ装置４０）へ送信し、相手先側プロバイダ装置４０がこのＩＰパケットを解釈し音声信号として相手先電話機６０（固定電話網５０）に送信する。
【００７１】
また、ＩＰ携帯電話端末１０と相手先電話機６０がＩＰ通話を行なう間、相手先側プロバイダ装置４０は相手先電話機６０からの音声信号をパケット化してインターネット網３０（携帯電話システム２０Ａ）へ送信し、携帯電話システム２０ＡがこのＩＰパケットを解釈し音声信号としてＩＰ携帯電話端末１０に送信する。
【００７２】
この後、ＩＰ携帯電話端末１０のユーザ又は相手先電話機６０のユーザが通話を終了するための処理（終了ボタン１７の押下など）が行なわれると、ＩＰ携帯電話端末１０と相手先電話機６０の通信回線が切断される（ステップＳ１２１）。
【００７３】
なお、本実施の形態１においては、通信システム１００内でＩＰ電話を行なう装置がＩＰ携帯電話端末１０等の携帯電話である場合について説明したが、ＩＰ電話を行なう装置は携帯電話に限られず、ＰＤＡ（Personal Digital Assistant）、ＰＨＳ（Personal Handyphone System）であってもよい。
【００７４】
このように実施の形態１によれば、ＩＰ通話を行なう際に、ＩＰ携帯電話端末１０からインターネット網３０に接続し携帯電話通信会社のホームページにアクセスする必要がない。また、ＩＰ通話を要求した後に、一旦通信が切断されることがない。したがって、ＩＰ携帯電話端末１０は、簡易な操作で容易にＩＰ通話を行なうことが可能となる。
【００７５】
また、ＩＰ携帯電話端末１０が専用ボタンＸ１〜Ｘｎを備え、この専用ボタンＸ１〜Ｘｎによって携帯電話システム２０Ａ，２０Ｂを指定するので、容易に携帯電話システム２０Ａ，２０Ｂを指定してＩＰ通話を行なうことが可能となる。
【００７６】
また、ダイヤルボタンＢ１〜Ｂ１０によって携帯電話システム２０Ａ，２０Ｂを指定するので、容易に携帯電話システム２０Ａ，２０Ｂを指定してＩＰ通話を行なうことが可能となる。
【００７７】
また、ＩＰ通話処理部１が、加入者認証情報や相手先電話番号を含むパケットを作成して携帯電話システム２０Ａ，２０Ｂに送信するので、低コストで容易に加入者認証や相手先電話機６０への接続処理を行なわせることが可能となる。
実施の形態２．
次に、図面を参照しながら、本発明の実施の形態２について説明する。実施の形態１では、ＩＰ携帯電話端末１０と携帯電話システム２０Ａ，２０Ｂの間のやり取りは無線通信専用のパケット通信で行ったが、実施の形態２では、ＩＰ携帯電話端末１０と携帯電話システム２０Ａ，２０Ｂの間のやり取りは一般的なアナログ通信（従来の携帯電話が行なう発着信形式）で行う。
【００７８】
以下、本発明の実施の形態２に係るＩＰ携帯電話端末１０を含む通信システム１００の動作手順を説明する。図６は、実施の形態２に係るＩＰ携帯電話端末１０を含んだ通信システムの動作手順を示すフローチャートである。なお、ＩＰ携帯電話端末１０の外観構成や内部構成、携帯電話システム２０Ａ，２０Ｂの内部構成、通信システム１００の全体構成は、実施の形態１で説明した構成と略同様であるため、その説明を省略する。
【００７９】
まず、ＩＰ携帯電話端末１０のユーザが通話モード、携帯電話会社を指定する。ここでの通話モードの指定に関する情報は、ユーザインターフェー２４からＤＳＰ／ＭＰＵ２５に入力される。ＤＳＰ／ＭＰＵ２５は、何れかの専用ボタンＸ１〜Ｘｎが押下されたか否かに基づいて、通話モードの選択を行なう。
【００８０】
また、ＤＳＰ／ＭＰＵ２５は、専用ボタンＸ１〜Ｘｎが押下された場合には、何れの専用ボタンＸ１〜Ｘｎが押下されたかに基づいて、ＩＰ通話を行なう携帯電話会社を設定する。次に、ユーザはダイヤルボタンＢ１〜Ｂ１０で相手先電話機６０の電話番号をダイヤルし、通話ボタン１３を押す（ステップＳ２０１）。
【００８１】
このとき、ＩＰ携帯電話端末１０のＤＳＰ／ＭＰＵ２５は、ユーザによってＩＰ通話モードが指定されたか通常通話モードが指定されたかを判断する（ステップＳ２０２）。通常通話モードが指定されてＤＳＰ／ＭＰＵ２５が通常通話モードを選択した場合（ステップＳ２０２、Ｎｏ）、ＤＳＰ／ＭＰＵ２５はインターネット網３０を介さず通常の通話を行うよう制御する（ステップＳ２０３）。ＩＰ携帯電話端末１０が通常通話を行なう場合、携帯電話システム２０Ａ，２０Ｂの何れか一方と固定電話網５０を介して相手先電話機６０と通話を行なう。
【００８２】
一方、ＩＰ通話モードが指定されてＤＳＰ／ＭＰＵ２５がＩＰ通話モードを選択した場合（ステップＳ２０２、Ｙｅｓ）、ＤＳＰ／ＭＰＵ２５は、加入者認証情報と相手先電話番号とを、ユーザが指定した携帯電話通信会社（Ｐ１又はＰ２）へ従来の携帯電話発信で送信し、ＩＰ通話モードでの通話を要求する（ステップＳ２０４）。
【００８３】
ＩＰ携帯電話端末１０から送信されたＩＰ通話モードでの通話要求は、携帯電話システムの基地局５１が受信し、制御局５２に送られる。ここでは、ユーザによって携帯電話システム２０Ａが指定され、携帯電話システム２０Ａを介してＩＰ通話を行う場合について説明する。
【００８４】
ＩＰ携帯電話端末１０から、ＩＰ通話モードでの通話要求を受信した制御局５２は、電波を通じて基地局５１に中継されてきた加入者認証情報に基づいて、加入者認証を行うとともに相手先電話番号の確認を行う（ステップＳ２０５）。携帯電話システム２０Ａの制御局５２は、ユーザの認証と電話番号の確認を正しく行なえたか否かを判断する（ステップＳ２０６）。制御局５２は、ユーザの認証または電話番号の確認を出来なかった場合（ステップＳ２０６、Ｎｏ）、その結果を認証結果情報として基地局５１からＩＰ携帯電話端末１０へ通知する（ステップＳ２０７）。
【００８５】
ＩＰ携帯電話端末１０のＤＳＰ／ＭＰＵ２５は、携帯電話システム２０Ａから送信された認証結果情報が、ユーザ認証できなかったことを示す情報であるか、電話番号を確認できなかったことを示す情報であるかの何れであるかを判断する（ステップＳ２０８）。
【００８６】
認証結果情報がユーザ認証はできたが電話番号の確認が出来なかったことを示す場合は（ステップＳ２０８、Ｙｅｓ）、電話の掛け直しをユーザへ指示し（ステップＳ２０９）、ステップＳ２０１へ戻る。電話の掛け直しの指示としては、例えば液晶ディスプレイ１１に電話番号が確認できなかったことを示すメッセージを表示する。一方、認証結果情報がユーザ認証の出来なかったことを示す場合は（ステップＳ２０８、Ｎｏ）、ＤＳＰ／ＭＰＵ２５はＩＰ通話処理を終了させる。
【００８７】
ステップＳ２０６の処理で、制御局５２がユーザの認証及び電話番号の確認を出来た場合（ステップＳ２０６、Ｙｅｓ）、携帯電話システム２０Ａ（ＧＷ５３）は、インターネット網３０を介して相手先側プロバイダ装置４０へＩＰ接続を行い、相手先電話番号を通知して相手先電話機６０との通話を要求する（ステップＳ２１０）。
【００８８】
相手先側プロバイダ装置４０は、固定電話網５０を介して相手先電話機６０を呼出す（ステップＳ２１１）。相手先側プロバイダ装置４０から呼出された相手先電話機６０は、着信音を出力させ（ステップＳ２１２）、同時に相手先側プロバイダ装置４０へ呼出し音を出力（送信）する（ステップＳ２１３）。相手先側プロバイダ装置４０は、相手先電話機６０が呼出し音を流していることをＩＰパケットを用いて携帯電話システム２０Ａへ通知する（ステップＳ２１４）。
【００８９】
携帯電話システム２０Ａの制御局５２は、相手先側プロバイダ装置４０から受信したＩＰパケットを解釈し、呼出し音（呼出し音に対応する信号）を基地局５１からＩＰ携帯電話端末１０へ電波を通じて送信する（ステップＳ２１５）。ＩＰ携帯電話端末１０（ＤＳＰ／ＭＰＵ２５）は、携帯電話システム２０Ａから呼出し音に対応する信号を受信すると、呼出し音を鳴らす（ステップＳ２１６）。
【００９０】
相手先電話機６０において、応答処理（受話器を本体から外す等の処理）が行なわれると、相手先電話機６０に入力された相手先の音声等（応答音声）を相手先電話機６０から相手先側プロバイダ装置４０へ送信する（ステップＳ２１７）。
【００９１】
相手先側プロバイダ装置４０は、相手先電話機６０からの応答音声を、ＩＰパケットを用い、応答音声信号として携帯電話システム２０Ａに転送する（ステップＳ２１８）。携帯電話システム２０Ａは、相手先側プロバイダ装置４０から受信したＩＰパケットを解釈し音声信号に変換して（ステップＳ２１９）、その音声信号を電波信号としてＩＰ携帯電話端末１０へ送信する（ステップＳ２２０）。
【００９２】
ＩＰ携帯電話端末１０の無線部２１は、携帯電話システム２０Ａからの電波信号を受信する。信号処理部２２は、無線部２１が受信した電波信号を音声信号に復元する。この音声信号は、スピーカ１６から出力される。この時点で、ＩＰ携帯電話端末１０と相手先電話機６０の間のＩＰ通話が開始される（ステップＳ２２１）。
【００９３】
ＩＰ携帯電話端末１０と相手先電話機６０との間でＩＰ通話を行なう間、ＩＰ携帯電話端末１０の信号処理部２２は、相手先電話機６０から受信した電波信号を音声信号に変換するとともに、相手先電話機６０へ送信する音声信号等を電波信号に変換する。また、ＤＳＰ／ＭＰＵ２５は、メモリ２３内の情報（ＯＳ３４、通信プロトコル情報３３、プログラム３２、データ３１など）を用いて、相手先電話機６０とのＩＰ通話を制御する。
【００９４】
この後、ＩＰ携帯電話端末１０のユーザ又は相手先電話機６０のユーザが通話を終了するための処理（終了ボタン１７の押下など）が行なわれると、ＩＰ携帯電話端末１０と相手先電話機６０の通信回線が切断される（ステップＳ２２２）。
【００９５】
このように実施の形態２によれば、ＩＰ通話を行なう際に、ＩＰ携帯電話端末１０からインターネット網３０に接続し、携帯電話通信会社のホームページにアクセスする必要がない。また、ＩＰ通話を要求した後に、一旦通信が切断されることがない。さらに、携帯電話システム２０ＡからＩＰ携帯電話端末１０への呼び出しを、ＩＰパケットを使用することなく従来の携帯電話への呼び出しと同様の呼び出しを行なうことができる。したがって、ＩＰ携帯電話端末１０は、簡易な操作で容易にＩＰ通話を行なうことが可能となる。
【００９６】
なお、実施の形態１，２では、ＩＰ携帯電話端末１０が一般の固定電話機である相手先電話機６０に電話をかける場合について説明したが、本発明はこれに限定されない。すなわち、ＩＰ携帯電話端末１０は、ＩＰ電話機や別のＩＰ携帯電話機に電話をかけても良い。この場合、相手先側プロバイダ装置４０は固定電話網５０を介さず、基地局を有した携帯電話システム等を介して相手先の電話機とＩＰ携帯電話端末１０とを接続する。
【産業上の利用可能性】
【００９７】
以上のように、本発明にかかる通信装置、通信方法及び通信システムは、ＩＰ技術を用いたＩＰ通話に適している。
【図面の簡単な説明】
【００９８】
【図１】本発明の実施の形態１に係るＩＰ携帯電話端末を備えた通信システムの全体構成図
【図２−１】本発明の実施の形態１に係るＩＰ携帯電話端末の外観構成の一例（１）を示す図
【図２−２】本発明の実施の形態１に係るＩＰ携帯電話端末の外観構成の一例（２）を示す図
【図３】本発明の実施の形態１に係るＩＰ携帯電話端末の内部構成を示すブロック図
【図４】本発明の実施の形態１に係る携帯電話システムの内部構成を示す図
【図５】実施の形態１に係るＩＰ携帯電話端末を含んだ通信システムの動作手順を示すフローチャート
【図６】実施の形態２に係るＩＰ携帯電話端末を含んだ通信システムの動作手順を示すフローチャート
【符号の説明】
【００９９】
１    ＩＰ通話処理部
１０    携帯電話端末
１１    液晶ディスプレイ
１３    通話ボタン
１５    アンテナ
１６    スピーカ
１７    終了ボタン
２０Ａ，２０Ｂ    携帯電話システム
２１    無線部
２２    信号処理部
２３    メモリ
２４    ユーザインターフェース
２５    ＤＳＰ／ＭＰＵ
２６    バッテリ
３０    インターネット網
３１    データ
３２    プログラム
３３    通信プロトコル情報
３４    ＯＳ
４０    相手先側プロバイダ装置
４１    液晶ディスプレイ
４２    マイク
４３    スピーカ
４４    入力ボタン
５０    固定電話網
５１    基地局
５２    制御局
５３    ＧＷ
５４    サーバ
５５    位置情報管理ＤＢ
５６    回線
６０    相手先電話機
７０    他プロバイダ装置
１００    通信システム
Ｂ１〜Ｂ１０    ダイヤルボタン
Ｘ１〜Ｘｎ    専用ボタン
【図１】
2007194898.tif 000003
【図２−１】
2007194898.tif 000004
【図２−２】
2007194898.tif 000005
【図３】
2007194898.tif 000006
【図４】
2007194898.tif 000007
【図５】
2007194898.tif 000008
【図６】
2007194898.tif 000009